【手続補正書】
【提出日】平成18年6月5日(2006.6.5)
【手続補正１】
【補正対象書類名】明細書
【補正対象項目名】特許請求の範囲
【補正方法】変更
【補正の内容】
【特許請求の範囲】
【請求項１】  道経路等の経路情報と、該経路情報に付与するランドマーク情報と、前
記経路情報及びランドマークに付与する色情報と、注記等の特定情報を基に地図を製作す
るカラーバリアフリーに対応した地図の製作方法であって、前記経路情報とランドマーク
情報と色情報とを格納する地図情報データベースと、該地図情報データベースの特定情報
の色彩が色覚障害を招く可能性がある特定情報の場合、前記色彩情報を他の色情報に変更
するための色情報補正定義データベースと、前記地図情報データベースの特定情報の内容
が色覚障害を招く可能性がある特定情報の場合、前記特定情報の内容を他の特定情報に変
更するための特定情報内容変更定義データベースとを用い、前記地図情報データベースに
格納した経路情報とランドマーク情報と色情報と特定情報を用いて地図を製作する際、色
覚障害を招く可能性のある色彩及び特定情報を、色覚障害の有無に係わりなく地図内容を
認識可能な色彩及び特定情報に変換することを特徴とするカラーバリアフリーに対応した
地図の製作方法。
【手続補正２】
【補正対象書類名】明細書
【補正対象項目名】発明の名称
【補正方法】変更
【補正の内容】
【発明の名称】カラーバリアフリーに対応した地図の製作方法
【手続補正３】
【補正対象書類名】明細書
【補正対象項目名】０００１
【補正方法】変更
【補正の内容】
【０００１】
【発明の属する技術分野】
本発明は、色盲又は色弱等の色覚障害の有無に係わりなく地図内容を違和感なく認識す
ることができる地図を製作することができるカラーバリアフリーに対応した地図の製作方
法に関する。
【手続補正４】
【補正対象書類名】明細書
【補正対象項目名】０００７
【補正方法】変更
【補正の内容】
【０００７】
本発明の目的は、前述の従来技術による不具合を除去することであり、色覚障害の有無
に限らずに見やすい配色を行った地図を製作することができるカラーバリアフリーに対応
した地図の製作方法を提供することである。
【手続補正５】
【補正対象書類名】明細書
【補正対象項目名】０００８
【補正方法】変更
【補正の内容】
【０００８】
【課題を解決するための手段】
前記目的を達成するために本発明は、道経路等の経路情報と、該経路情報に付与するラ
ンドマーク情報と、前記経路情報及びランドマークに付与する色情報と、注記等の特定情
報を基に地図を製作するカラーバリアフリーに対応した地図の製作方法であって、前記経
路情報とランドマーク情報と色情報とを格納する地図情報データベースと、該地図情報デ
ータベースの特定情報の色彩が色覚障害を招く可能性がある特定情報の場合、前記色彩情
報を他の色情報に変更するための色情報補正定義データベースと、前記地図情報データベ
ースの特定情報の内容が色覚障害を招く可能性がある特定情報の場合、前記特定情報の内
容を他の特定情報に変更するための特定情報内容変更定義データベースとを用い、前記地
図情報データベースに格納した経路情報とランドマーク情報と色情報と特定情報を用いて
地図を製作する際、色覚障害を招く可能性のある色彩及び特定情報を、色覚障害の有無に
係わりなく地図内容を認識可能な色彩及び特定情報に変換することを特徴とする。
【手続補正６】
【補正対象書類名】明細書
【補正対象項目名】０００９
【補正方法】変更
【補正の内容】
【０００９】
【発明の実施の形態】
以下、本発明の一実施形態によるカラーバリアフリーに対応した地図の製作方法を図面
を参照して詳細に説明する。図１は本実施形態による原理動作を説明するための図、図２
は本実施形態によるカラーバリアフリーに対応した地図の製作方法を実現するシステム構
成を示す図、図３は製作乃至印刷された地図を説明するための図、図４は色盲又は色弱の
配色による見やすさ／見にくさを説明するための図、図５は図２に示した色情報変換デー
タベースの構成例を説明するための図である。
【手続補正７】
【補正対象書類名】明細書
【補正対象項目名】００１４
【補正方法】変更
【補正の内容】
【００１４】
＜システム構成の説明＞
本発明の一実施形態によるカラーバリアフリーに対応した地図の製作方法を実現する印
刷システムの主要構成は、図２に示す如く、例えば図３に示した線路３１や道路の情報で
ある経路情報（具体的にはベクトル情報）と、該経路情報に付与する駅３９ａや警察署３
２等のランドマーク情報と、前記経路情報及びランドマーク情報に付与する色情報（例え
ば駅は「青色」、警察は「赤色」等）と、前記ランドマーク情報その他に付随する特定情
報（例えば「駅名」「警察名」「観光地名」その他案内文等）を格納する地図情報データ
ベース２３と、該地図情報データベース２３の特定情報の色彩が前述の色覚障害を招く可
能性がある場合（例えば背景青色中の赤色文字）、この色彩情報を他の色情報に変更する
ための色情報補正定義データベース２４と、前記地図情報データベース２３の特定情報の
内容が色覚障害を招く可能性がある場合（例えば細文字他）、この特定情報の内容を他の
特定情報に変更するための特定情報内容変更定義データベース２５と、前記地図情報デー
タベース２３に格納した経路情報とランドマーク情報と色情報と特定情報とを前記データ
ベース２４及び２５を用いて補正した地図の製作情報を作成する際に参照される製作情報
定義データベース２６と、前記補正した地図情報を用いて地図の印刷を行う印刷機器（図
示せず）と、外部と公衆通信回線網２２を介して接続され、前記各データベース２３〜２
６を制御する管理サーバ２１とを備える。
【手続補正８】
【補正対象書類名】明細書
【補正対象項目名】００１８
【補正方法】変更
【補正の内容】
【００１８】
＜動作説明＞
さて、前述の様に構成した地図の印刷システムにおける地図の製作から印刷を行う動作
を図１を参照して次に説明する。
図１は、本実施形態による地図の製作方法を実行するための手順を示すものであって、
この処理手順は、道経路等の経路を示すベクトル情報と該ベクトル情報に付与するランド
マーク情報と前記ベクトル経路情報及びランドマーク情報に付与する色情報と注記等を含
む特定情報とその他追加情報（観光情報その他）から成る地図情報を取得するステップ１
０と、該ステップ１０により得た地図情報中から色情報、例えば色相／彩度／明度／色彩
の隣接した色関係又は背景との色関係を含む色情報間相関関係等を抽出するステップ１１
と、該ステップ１１により抽出した色情報を基に、前述の色情報補正定義データベース２
４を参照した色情報の補正処理ステップ１３と、前述の特定情報内容変更定義データベー
ス２５を参照した特定情報自体の変更処理ステップ１４と、前記ステップ１３及び１４に
より補正した特定情報及び色情報と印刷情報定義データベース２６を参照した印刷情報を
作成するステップ１５とを順次実行し、次いで前記ステップ１５により作成した印刷情報
を基に地図の印刷処理を行うステップ１６を順次実行することによって、色覚障害の有無
に関わりなく万人が認識容易な地図を印刷することができる。
【手続補正９】
【補正対象書類名】明細書
【補正対象項目名】００２０
【補正方法】変更
【補正の内容】
【００２０】
更に前記実施形態においては、印刷を行う地図情報のみについて説明したが、本発明は
これに限られるものではなく、例えばインターネットや携帯電話におい表示される地図情
報に対して前記実施形態で説明した色彩や特定情報の訂正（編集）を行うこともでき、こ
の場合の実施形態は前述の図２における印刷情報定義データベース２６をインターネット
のブラウザや携帯電話の小画面に表示するために変換を行うための定義情報を格納する表
示情報データベースに変え、該表示情報データベースを基に画面表示用に変換した地図表
示情報を公衆回線網を介して発信することによって実現することができる。
【手続補正１０】
【補正対象書類名】明細書
【補正対象項目名】００２２
【補正方法】変更
【補正の内容】
【００２２】
【発明の効果】
以上述べた如く本発明によるカラーバリアフリーに対応した地図の製作方法は、経路情
報とランドマーク情報と色情報とを格納する地図情報データベースから特定情報及び色情
報を抽出し、抽出した特定情報及び色情報が色覚障害の方に認識困難な特別情報又は色彩
の場合、色覚障害の有無に関わりなく健常者でも違和感を覚えない色彩及び配色に変更し
て地図を製作乃至印刷することができる。
【手続補正１１】
【補正対象書類名】明細書
【補正対象項目名】図２
【補正方法】変更
【補正の内容】
【図２】
本実施形態によるカラーバリアフリーに対応した地図の製作方法を実現するシステム構
成を示す図。